(57)【要約】【課題】発呼者からの音声メッセージに対する被呼者の応答を、確実に得ることができる電話機及び電話通信システムを提供する。【解決手段】電話機１は、所望の発呼者音声メッセージを記憶可能な発呼者音声メッセージ記憶部３４と、所望の時間に他の電話機４０に架電する自動架電部２１と、他の電話機４０が受電すると前記発呼者音声メッセージを送信する音声メッセージ自動送信部２２と、他の電話機４０との通信中に他の電話機４０から送信された被呼者音声メッセージを記憶する被呼者音声メッセージ記憶部３３と、を備える【選択図】図１
2007202074.tif 000002
【特許請求の範囲】
【請求項１】
所望の発呼者音声メッセージを記憶可能な発呼者音声メッセージ記憶部と、
所望の時間に他の電話機に架電する自動架電部と、
前記他の電話機が受電すると前記発呼者音声メッセージを送信する音声メッセージ自動送信部と、
前記他の電話機との通信中に前記他の電話機から送信された被呼者音声メッセージを記憶する被呼者音声メッセージ記憶部と、
を備えることを特徴とする電話機。
【請求項２】
各種情報を入力する操作キーを備え、
前記操作キーからの入力があった場合に前記音声メッセージ自動送信部及び前記被呼者音声メッセージ記憶部の動作を停止させることを特徴とする請求項１に記載の電話機。
【請求項３】
電話網に接続された電話機及び自動音声案内装置からなり、
前記自動音声案内装置は、複数の案内音声メッセージを記憶可能な案内音声メッセージ記憶部と、
前記電話機から送信されたダイヤルトーンを受信する受信部と、
受信したダイヤルトーンに応じて前記案内音声メッセージを前記電話機に送信する案内音声メッセージ送信部と、
を備え、
前記電話機は、所望のダイヤルトーンを記憶するダイヤルトーン記憶部と、
所望の時間に前記自動音声案内装置に架電する自動架電部と、
前記自動音声案内装置が受電すると前記ダイヤルトーンを送信するダイヤルトーン自動送信部と、
前記自動音声案内装置との通信中に前記自動音声案内装置から受信した前記案内音声メッセージを記憶する音声メッセージ記憶部と、
を備えることを特徴とする電話通信システム。
【請求項４】
前記ダイヤルトーン自動送信部は、
前記ダイヤルトーン記憶部に複数の前記ダイヤルトーンが記憶された場合には、前記ダイヤルトーン記憶部に記憶された順番に従って前記ダイヤルトーンを送信することを特徴とする請求項３に記載の電話通信システム。
【発明の詳細な説明】
【技術分野】
【０００１】
本発明は、電話機及び電話通信システムに関する。
【背景技術】
【０００２】
発呼者が被呼者の携帯電話機に架電しても応答がない場合に、移動通信網内に設けられた留守番電話センターに音声メッセージを記憶し、後に被呼者の携帯電話機から要求があった場合に記憶された音声メッセージを再生して聴かせる留守番電話サービスが知られている。このような留守番電話サービスでは、被呼者が音声メッセージを聞いたか否かを確認することは、直接その被呼者に確認する以外には、できなかった。
このため、被呼者が記憶された音声メッセージを聞いた場合には、発呼者の携帯電話機に対してコールバックを行うことで、発呼者に知らせるシステムが提案されている。
【特許文献１】特開平１０−１６４２３６号公報
【発明の開示】
【発明が解決しようとする課題】
【０００３】
しかしながら、上述した技術では、音声メッセージを残した発呼者に対してコールバックを行うだけなので、音声メッセージに対する被呼者の応答を確認することができない。したがって、発呼者は、再度、被呼者に対して架電しなければならないという問題がある。更に、発呼者がコールバックを受けた際に架電することができない状況等にあると、被呼者の応答を確認する機会を失ってしまう虞があるという問題もある。
【０００４】
本発明は、上述した事情に鑑みてなされたもので、発呼者からの音声メッセージに対する被呼者の応答を確実に得ることができる電話機及び電話通信システムを提供することを目的とする。
【課題を解決するための手段】
【０００５】
本発明に係る電話機及び電話通信システムでは、上記課題を解決するために以下の部を採用した。
第一の発明は、電話機は、所望の発呼者音声メッセージを記憶可能な発呼者音声メッセージ記憶部と、所望の時間に他の電話機に架電する自動架電部と、前記他の電話機が受電すると前記発呼者音声メッセージを送信する音声メッセージ自動送信部と、前記他の電話機との通信中に前記他の電話機から送信された被呼者音声メッセージを記憶する被呼者音声メッセージ記憶部と、を備えることを特徴とする。
【０００６】
また、電話機が、各種情報を入力する操作キーを備え、前記操作キーからの入力があった場合に前記音声メッセージ自動送信部及び前記被呼者音声メッセージ記憶部の動作を停止させることを特徴とする。
【０００７】
第二の発明は、電話通信システムは、電話網に接続された電話機及び自動音声案内装置からなり、前記自動音声案内装置は、複数の案内音声メッセージを記憶可能な案内音声メッセージ記憶部と、前記電話機から送信されたダイヤルトーンを受信する受信部と、受信したダイヤルトーンに応じて前記案内音声メッセージを前記電話機に送信する案内音声メッセージ送信部と、を備え、前記電話機は、所望のダイヤルトーンを記憶するダイヤルトーン記憶部と、所望の時間に前記自動音声案内装置に架電する自動架電部と、前記自動音声案内装置が受電すると前記ダイヤルトーンを送信するダイヤルトーン自動送信部と、前記自動音声案内装置との通信中に前記自動音声案内装置から受信した前記案内音声メッセージを記憶する音声メッセージ記憶部と、を備えることを特徴とする。
【０００８】
また、前記ダイヤルトーン自動送信部は、前記ダイヤルトーン記憶部に複数の前記ダイヤルトーンが記憶された場合には、前記ダイヤルトーン記憶部に記憶された順番に従って前記ダイヤルトーンを送信することを特徴とする。
【発明の効果】
【０００９】
本発明によれば以下の効果を得ることができる。
所望の時間に電話機からの他の電話機に対して音声メッセージを自動的に送信するので、他の電話機の操作者（被呼者）に高い確率で音声メッセージを聴かせることが可能となる。また、その音声メッセージに対する被呼者の応答を電話機に録音するので、発呼者が電話にでられない場合であっても、確実に被呼者応答を得ることができる。
また、電話網に接続された自動音声案内装置に対してダイヤルトーンを自動的に送信すると共に、自動音声案内装置からの案内音声メッセージを電話機に記憶することができるので、任意の時間に案内音声メッセージを繰り返し聴く等が可能となる。
【発明を実施するための最良の形態】
【００１０】
以下、本発明の電話機及び電話通信システムの実施形態について図を参照して説明する。
[第一実施形態]
図１は、本発明の実施形態に係る携帯電話機１及び電話通信システムＭ１の構成を示すブロック図である。
携帯電話機１は、携帯電話機を統括的に制御する制御部２、各種情報を記憶する記憶部３、各種情報を表示する表示部４、スピーカ５、マイクロフォン６、操作キー７、送受信部８、アンテナ９等を備えている。
制御部２は、送受信制御部２１、音声メッセージ再生録音制御部２２、タイマ制御部２３等を有している。
記憶部３は、スケジュール記憶部３１、他者電話番号記憶部３２、第一音声メッセージ記憶部３３、第二音声メッセージ記憶部３４等を有している。
【００１１】
制御部２は、記憶部３に記憶された制御プログラム及び操作キー７から入力された操作情報等に基づいて上記各構成要素を統括的に制御する。
記憶部３は、上記制御プログラム等を記憶すると共に、制御部２が各構成要素を制御するために行う制御演算の結果等を一時的に記憶する。
操作キー７により受け付けられた操作情報は、制御部２に出力される。制御部２は、例えば操作キー７から入力された電話番号や携帯電話機１の動作状態等の各種情報を表示部４に表示させ、また各種情報を告げる音声をスピーカ５に発音させる。
送受信部８は、制御部２が有する送受信制御部２１による制御の下で、移動体電話網Ｎに接続された基地局（不図示）と通話やメール送受信等に関する無線通信を行うものである。また、携帯電話機１の操作者（以下、発呼者という）の発声した音声は、マイクロフォン６から送受信部８を介して基地局に送信される。また、送受信部８が基地局から受信した通話相手（携帯電話機４０の操作者：以下、被呼者という）の音声は、スピーカ５に出力されて発音される。
【００１２】
音声メッセージ再生録音制御部２２は、送受信部８が基地局から受信した被呼者の音声を、第一音声メッセージ記憶部３３に音声データ（以下、被呼者音声メッセージという）として記憶する。また、音声メッセージ再生録音制御部２２は、マイクロフォン６を介して入力された発呼者の音声を、第二音声メッセージ記憶部３４に音声データ（以下、発呼者音声メッセージという）として記憶する。
更に、音声メッセージ再生録音制御部２２は、第一音声メッセージ記憶部３３に記憶された被呼者音声メッセージを再生してスピーカ５から出力したり、第二音声メッセージ記憶部３４に記憶された発呼者音声メッセージを再生すると共に送受信制御部２１と連動してこの発呼者音声メッセージを送受信部８を介して基地局に送信する。
また、送受信制御部２１は、タイマ制御部２３と協働して、スケジュール記憶部３１及び他者電話番号記憶部３２等の情報に基づいて、自動架電を行う。
【００１３】
図２は、携帯電話機１の使用方法の一例を説明するためのフローチャート図である。
図３は、携帯電話機１の表示部４の表示例を示す図であって、図２の使用方法に対応した表示例を示す。
図２に示すように、まず、ステップＳ１において、発呼者音声メッセージを携帯電話機１に記憶する。
具体的には、発呼者は、携帯電話機１の操作キー７を操作して、表示部４を待受画面等から音声記録画面に遷移させた状態で、マイクロフォン６に対して発声することで、音声を入力する。この音声は、記憶部３の第二音声メッセージ記憶部３４に発呼者音声メッセージとして記憶される。
【００１４】
次に、ステップＳ２において、携帯電話機１に記憶された発呼者音声メッセージを所望の時間に携帯電話機４０に自動的に送信するための音声メッセージ自動送信予約を設定する。
具体的には、発呼者は、携帯電話機１の表示部４を音声記録画面から指定発信機能設定画面（図３（ａ）参照）に遷移させる。そして、指定発信機能設定画面において、発信予定の「日付」及び「時刻」、「相手（被呼者の名前）」又は「電話番号」を、他者電話番号記憶部３２等から検索して設定、又は操作キー７を操作して入力する。例えば、日付：１０月１日、時刻：１２：３０、相手：京ポン太、電話番号：０９０−＊＊＊＊−＊＊＊＊等と設定する。
なお、発信予定の「日付」及び「時刻」は、被呼者が電話に出られると考えられる日付と時間を設定する。例えば、被呼者が会社員等の場合には、平日の昼休みの時間帯等を指定する。
【００１５】
通知方法の項目には、「通常着信と同じ」を選択設定する。「通常着信と同じ」に設定した場合には、携帯電話機４０の表示部には、発呼者の名前と電話番号が表示されるようになる。
コール数の項目には、任意の数を操作キー７から入力し、設定する。コール数は、被呼者を呼び出す際のコール数である。例えば、コール数に「１０」を入力した場合には、１０回の発信（着信）コール内に被呼者が電話に出ない（携帯電話機４０の反応がない）場合には、携帯電話機１からの架電を中止するようになる。
伝言の項目には、被呼者に送信する音声メッセージを選択設定する。つまり、ステップＳ１において第二音声メッセージ記憶部３４に記憶した発呼者音声メッセージを選択する。これにより、携帯電話機１と携帯電話機４０が通話状態となった際に、携帯電話機１において発呼者音声メッセージが再生され、携帯電話機４０に発呼者音声メッセージが送信される。
なお、指定発信機能設定画面において設定された「日付」、「時刻」、「名前」又は「電話番号」、及び「音声メッセージ」等の情報は、スケジュール記憶部３１に記憶される。
【００１６】
上記操作が終了すると、スケジュール記憶部３１に記憶された「日付」及び「時刻」の情報に基づいて、タイマ制御部２３が作動し始める。
そして、指定発信機能設定画面において設定された日時（「日付」及び「時刻」）が到来すると、送受信制御部２１が自動的に作動する（ステップＳ３）。つまり、携帯電話機１の送受信制御部２１は、スケジュール記憶部３１に記憶された「電話番号」に基づいて、またはスケジュール記憶部３１に記憶された「相手」と他者電話番号記憶部３２に記憶された情報とに基づいて、携帯電話機４０に自動的に架電する。
なお、携帯電話機１からの架電に対して、携帯電話機４０の表示部には、発呼者の名前と電話番号が表示される（図３（ｂ）参照）。
【００１７】
そして、ステップＳ４において、携帯電話機１は、携帯電話機４０が架電に応答したか否かを判断する。
そして、ステップＳ５において、携帯電話機４０が架電に応答しない場合、すなわち１０回の着信コールがなされても携帯電話機４０が反応しない場合には、架電を停止すると共に、表示部４に携帯電話機４０の応答がなかった旨を表示する。
【００１８】
一方、携帯電話機４０が架電に応答した場合には、携帯電話機１の音声メッセージ再生録音制御部２２は、スケジュール記憶部３１に記憶された情報（ステップＳ２において設定された「伝言の項目」）に基づいて、第二音声メッセージ記憶部３４に記憶された発呼者音声メッセージを再生し始める（ステップＳ６）。
発呼者音声メッセージが再生されると、その音声は、送受信制御部２１から送受信部８を介して携帯電話機４０に送信される。これにより、被呼者は、携帯電話機４０のスピーカから発呼者音声メッセージを聴くことができる。
【００１９】
携帯電話機１は、発呼者音声メッセージの再生を終了すると、引き続き携帯電話機４０との通話状態において、音声メッセージ再生録音制御部２２を作動させて、携帯電話機４０から受信した被呼者の音声を、第一音声メッセージ記憶部３３に被呼者音声メッセージとして記憶する（ステップＳ７）。
つまり、被呼者は、携帯電話機１から送信された発呼者音声メッセージを聴いた後に、その発呼者音声メッセージに対する応答を携帯電話機４０に対して発声することで、この音声が携帯電話機１に送信されて、第一音声メッセージ記憶部３３に被呼者音声メッセージとして記憶される。
【００２０】
そして、ステップＳ８において、被呼者が携帯電話機４０を操作して、携帯電話機１と携帯電話機４０との通信を終了させると、携帯電話機１は、音声メッセージ再生録音制御部２２の動作を終了すると共に、表示部４に被呼者からの音声メッセージ（被呼者音声メッセージ）が記憶されている旨を表示する（図３（ｃ）参照）。
【００２１】
そして、ステップＳ９において、発呼者は、携帯電話機１の操作キー７を操作して音声メッセージ再生録音制御部２２を動作させ、第一音声メッセージ記憶部３３に記憶された被呼者音声メッセージを再生させる。これにより、スピーカ５から被呼者音声メッセージ（すなわち、被呼者の発呼者音声メッセージに対する応答）を聴くことができる。
【００２２】
このように、携帯電話機１は、携帯電話機４０との通話の可能性（被呼者が電話に出る可能性）が高い日時に、携帯電話機４０に対して発呼者音声メッセージを送信するので、被呼者に発呼者音声メッセージを高い確率で伝えることができる。そして、この際、携帯電話機１が被呼者からの音声を録音するので、発呼者は、被呼者からの応答に出られなくても、発呼者音声メッセージに対する被呼者の応答（被呼者音声メッセージ）を確実に得ることができる。
特に、携帯電話機１は、発呼者音声メッセージの送信と、被呼者音声メッセージの受信及び記憶（録音）を自動的に行うので、発呼者が被呼者と直接、音声通話できない場合であっても、音声メッセージを交換し合えるので、発呼者と被呼者と意思の疎通が図られる。
したがって、発呼者が残した留守番電話の音声メッセージを被呼者が聞いたか否かが不明であったり、その音声メッセージに対する被呼者の応答が確認できなかったり、という不都合を確実に解消することができる。
【００２３】
なお、上述したステップＳ６及びステップＳ７においては、発呼者が電話にでることが可能な場合には、携帯電話機１の操作キー７を操作することで、直接、被呼者と通話できるようにすることが好ましい。
【００２４】
[第二実施形態]
次に、本発明の電話機及び電話通信システムの第二実施形態について図を参照して説明する。なお、第一実施形態と同一の構成要素等については、同一の符号を付すと共にその説明を省略、又は簡略にする。
【００２５】
図４は、本発明の実施形態に係る携帯電話機５１及び電話通信システムＭ２の構成を示すブロック図である。
携帯電話機５１は、制御部２、記憶部３、表示部４、スピーカ５、マイクロフォン６、操作キー７、送受信部８、アンテナ９等を備えている。
制御部２は、送受信制御部２１、タイマ制御部２３を備えている。更にダイヤルトーン生成部２５等を有している。
記憶部３は、スケジュール記憶部３１、他者電話番号記憶部３２、第一音声メッセージ記憶部３３を有している。更にダイヤルトーン記憶部３５等を有している。
ダイヤルトーン記憶部３５は、操作キー７のテンキーから入力された情報を、その入力順に記憶する。そして、ダイヤルトーン生成部２５は、ダイヤルトーン記憶部３５に記憶された情報に基づいて、所定のダイヤルトーンをスピーカ５に発音させる。
【００２６】
自動音声案内装置６０は、移動体電話網Ｎに接続されており、この移動体電話網Ｎを介して接続された携帯電話機５１に対して、所定の案内音声メッセージを送信するものである。
自動音声案内装置６０は、制御部６１、記憶部６５、移動体電話網Ｎに接続された送受信部６８等を備えている。
制御部６１は、記憶部３に記憶された制御プログラム及び移動体電話網Ｎを介して入力されたダイヤルトーンに基づいて上記各構成要素を統括的に制御する。
記憶部６５は、上記制御プログラム等を記憶すると共に、制御部６１が各構成要素を制御するために行う制御演算の結果等を一時的に記憶する。
【００２７】
制御部６１は、案内音声メッセージ再生制御部６２、ダイヤルトーン識別部６３等を有している。記憶部６５は、複数の案内音声メッセージを記憶可能な案内音声メッセージ記憶部６６等を有している。
案内音声メッセージ再生制御部６２は、案内音声メッセージ記憶部６６に記憶された複数の案内音声メッセージから所定の案内音声メッセージを選択し、再生する。
ダイヤルトーン識別部６３は、送受信部６８を介して入力されたダイヤルトーンを識別し、その情報と制御プログラムとに基づいて、案内音声メッセージ再生制御部６２に再生させる案内音声メッセージの情報を伝える。
【００２８】
図５は、自動音声案内装置６０に記憶された制御プログラムの内容（自動音声案内サービスのメニュー）を説明するための図である。
自動音声案内装置６０の制御プログラムは、移動体電話網Ｎを介して接続された携帯電話機５１に対して、各種音声案内を自動的に送信するサービス（自動音声案内サービス）を実施するものである。
自動音声案内サービスとしては、例えば、携帯電話の契約内容の変更等を行うサービスがある。そして、この制御プログラムは、図５に示すようなメニューに従って選択された案内音声メッセージを送信する。
メニューの選択には、移動体電話網Ｎを介して接続された携帯電話機５１から送信されたダイヤルトーンに従って選択される。
まず、自動音声案内装置６０に携帯電話機５１が接続されると、「音声案内サービスを開始する旨の音声メッセージ」が再生される。そして、例えば、携帯電話機５１から「１」のダイヤルトーンが送信された場合には、メインメニューの「新商品・各種サービスのご案内」が選択される。すると、「新商品・各種サービスについての音声案内サービスを開始する旨の音声メッセージ」が再生されるようになっている。
次いで、携帯電話機５１から「２」のダイヤルトーンが送信された場合には、サブメニューの「ＡＡＡシリーズのご案内」が選択される。すると、「ＡＡＡシリーズのご案内に関する音声メッセージ」が再生される。
このように、携帯電話機５１の操作者（発呼者）は、自動音声案内装置６０から受信した音声案内にしたがって、操作キー７のダイヤルキーを操作して、ダイヤルトーンを自動音声案内装置６０に送信することで、所望の音声案内メッセージを聴くことができる。
【００２９】
また、自動音声案内装置６０の制御プログラムでは、携帯電話機５１から連続してダイヤルトーン送信された場合にも、対応している。
具体的には、携帯電話機５１から「１」と「２」のダイヤルトーンが続けて送信された場合には、上述した「音声案内サービスを開始する旨の音声メッセージ」及び「新商品・各種サービスについての音声案内サービスを開始する旨の音声メッセージ」を再生することなく、「ＡＡＡシリーズのご案内に関する音声メッセージ」が再生されるようになっている。
【００３０】
図６は、携帯電話機５１の使用方法の一例を説明するためのフローチャート図である。
まず、ステップＳ１１において、所望のダイヤルトーンを携帯電話機５１に記憶する。
具体的には、発呼者は、携帯電話機５１の操作キー７を操作して、表示部４を待受画面等からダイヤルトーン記録画面（不図示）に遷移させた状態で、更に操作キー７のダイヤルキーを任意の順番で押下する。例えば、「１」，「２」のダイヤルキーをこの順番で押下する。押下したダイヤルキーの番号は、押下順位の情報と共に記憶部３のダイヤルトーン記憶部３５に、キープログラミングとして記憶される。
【００３１】
次に、ステップＳ１２において、携帯電話機１に記憶されたキープログラミングに応じたダイヤルトーンを所望の時間に自動音声案内装置６０に自動的に送信するための自動送信予約を設定する。
具体的には、発呼者は、携帯電話機５１の表示部４をダイヤルトーン記録画面から指定発信機能設定画面（図３（ａ）参照）に遷移させる。そして、指定発信機能設定画面において、発信予定の「日付」及び「時刻」、自動音声案内装置６０の「電話番号」を操作キー７を操作して、又は他者電話番号記憶部３２から検索して入力する。
例えば、日付：１０月１日、時刻：１２：３０、相手：自動音声案内装置６０、電話番号：０１２０−＊＊＊−＊＊＊等と設定する。
【００３２】
コール数の項目には、任意の数を操作キー７から入力し、設定する。
伝言の項目には、ステップＳ１１においてダイヤルトーン記憶部３５に記憶したキープログラミングを選択する。これにより、携帯電話機５１と自動音声案内装置６０が通話状態となった際に、携帯電話機１においてキープログラミングに応じて「１」と「２」のダイヤルトーンがこの順に発音される。これにより、携帯電話機４０に「１」と「２」のダイヤルトーンが送信される。
なお、指定発信機能設定画面において設定された「日付」、「時刻」及び「電話番号」、及び「音声メッセージ」等の情報は、スケジュール記憶部３１に記憶される。
【００３３】
上記操作が終了すると、スケジュール記憶部３１に記憶された「日付」及び「時刻」の情報に基づいて、タイマ制御部２３が作動し始める。
そして、指定発信機能設定画面において設定された日時（「日付」及び「時刻」）が到来すると、送受信制御部２１が自動的に作動する（ステップＳ１３）。つまり、携帯電話機５１の送受信制御部２１は、スケジュール記憶部３１に記憶された「電話番号」等に基づいて、自動音声案内装置６０に自動的に架電する。
【００３４】
そして、ステップＳ１４において、携帯電話機５１は、自動音声案内装置６０が架電に応答したか否かを判断する。
そして、ステップＳ１５において、自動音声案内装置６０が架電に応答しない場合には、架電を停止すると共に、表示部４に自動音声案内装置６０の応答がなかった旨を表示する。
【００３５】
一方、自動音声案内装置６０が架電に応答した場合には、携帯電話機５１のダイヤルトーン生成部２５は、スケジュール記憶部３１に記憶された情報（ステップＳ２において設定された「伝言の項目」）に基づいて、ダイヤルトーン記憶部３５に記憶されたキープログラミングが再生され、「１」と「２」のダイヤルトーンが発音される（ステップＳ１６）。
キープログラミングに応じてダイヤルトーンが発音されると、そのダイヤルトーンは、送受信制御部２１から送受信部８を介して自動音声案内装置６０に送信される。
【００３６】
携帯電話機５１は、キープログラミングの再生を終了すると、引き続き自動音声案内装置６０との通話状態において、音声メッセージ再生録音制御部２２を作動させて、自動音声案内装置６０から受信した音声メッセージ（「ＡＡＡシリーズのご案内に関する音声メッセージ」）を第一音声メッセージ記憶部３３に記憶する（ステップＳ１７）。
【００３７】
そして、ステップＳ１８において、自動音声案内装置６０が音声メッセージの送信と携帯電話機５１との通信とを終了させると、携帯電話機５１は、音声メッセージ再生録音制御部２２の動作を終了すると共に、表示部４に自動音声案内装置６０からの音声メッセージが記憶されている旨を表示する（図３（ｃ）参照）。
【００３８】
そして、ステップＳ１９において、携帯電話機１の操作キー７を操作して音声メッセージ再生録音制御部２２を動作させることで、第一音声メッセージ記憶部３３に記憶された自動音声案内装置６０からの音声メッセージを再生させる。これにより、スピーカ５から被呼者音声メッセージ（すなわち、「ＡＡＡシリーズのご案内に関する音声メッセージ」）を聴くことができる。
【００３９】
このように、携帯電話機５１は、自動音声案内装置６０との通話中に、自動音声案内装置６０に対してキープログラミングに応じたダイヤルトーンが送信されるので、自動音声案内装置６０から所望の音声メッセージを得ることができる。そして、この際、携帯電話機５１がこの音声メッセージを録音するので、発呼者は、任意の時間に、自動音声案内装置６０に架電することなく、音声メッセージを聴くことができる。
【００４０】
なお、上述した実施形態においては、携帯電話機を用いた場合について説明したが、これに限らず、固定電話機であってもよい。
また、キープログラミングとして、２つのダイヤルトーンを発音させる場合について説明したが、ダイヤルトーンの数は任意である。また、あるダイヤルトーンとその次のダイヤルトーンとの間に、任意の時間だけ待機（ウエイト）させるように設定してもよい。
【図面の簡単な説明】
【００４１】
【図１】本発明の実施形態に係る携帯電話機１及び電話通信システムＭ１の構成を示すブロック図である。
【図２】携帯電話機１の使用方法の一例を説明するためのフローチャート図である。
【図３】携帯電話機１の表示部４の表示例を示す図である。
【図４】本発明の実施形態に係る携帯電話機５１及び電話通信システムＭ２の構成を示すブロック図である。
【図５】自動音声案内装置６０に記憶された制御プログラムの内容を説明するための図である。
【図６】携帯電話機５１の使用方法の一例を説明するためのフローチャート図である。
【符号の説明】
【００４２】
１…携帯電話機
２…制御部
３…記憶部
７…操作キー
８…送受信部
２１…送受信制御部（自動架電部）
２２…音声メッセージ再生録音制御部（音声メッセージ自動送信部）
２３…タイマ制御部
２５…ダイヤルトーン生成部（ダイヤルトーン自動送信部）
３１…スケジュール記憶部
３２…他者電話番号記憶部
３３…第一音声メッセージ記憶部（被呼者音声メッセージ記憶部）
３４…第二音声メッセージ記憶部（発呼者音声メッセージ記憶部）
３５…ダイヤルトーン記憶部（ダイヤルトーン記憶部）
４０…携帯電話機（他の電話機）  
５１…携帯電話機
６０…自動音声案内装置
６１…制御部
６２…案内音声メッセージ再生制御部（案内音声メッセージ送信部）
６３…ダイヤルトーン識別部
６５…記憶部
６６…案内音声メッセージ記憶部（案内音声メッセージ記憶部）
６８…送受信部（受信部）
Ｎ…電話網
Ｍ１，Ｍ２…電話通信システム
【図１】
2007202074.tif 000003
【図２】
2007202074.tif 000004
【図３】
2007202074.tif 000005
【図４】
2007202074.tif 000006
【図５】
2007202074.tif 000007
【図６】
2007202074.tif 000008